(57)【要約】【課題】フィールドシーケンシャル方式において、フィールド数を増やすことなく、色割れ妨害を低減する。【解決手段】本発明の一態様としてのカラー表示方法は、第１原色、第２原色、第３原色からなる入力画像の各フレームを順次表示するカラー表示方法であって、１フレームの前記入力画像を入力し、前記１フレームの入力画像から、前記第１原色からなる第１原色画像と、前記第２原色からなる第２原色画像と、前記第３原色からなる第３原色画像と、前記第１原色、前記第２原色、前記第３原色のうち少なくとも２つの色の混色からなる混色画像との４つの分解画像を生成し、各前記分解画像の輝度を求め、各前記分解画像の輝度の大きさの順位と、前記混色画像の輝度と各前記第１〜第３原色画像の輝度との差が所定の閾値以下か否かとに基づいて、各前記分解画像の表示順序を決定し、前記１フレーム期間内に各前記分解画像を前記表示順序にしたがって各々対応する光源によって表示する、ことを特徴とする。【選択図】図１
2008165048.tif 000002
【特許請求の範囲】
【請求項１】
第１原色、第２原色、第３原色からなる入力画像の各フレームを順次表示するカラー表示装置であって、
１フレームの前記入力画像を入力する画像入力部と、
前記１フレームの入力画像から、前記第１原色からなる第１原色画像と、前記第２原色からなる第２原色画像と、前記第３原色からなる第３原色画像と、前記第１原色、前記第２原色、前記第３原色のうち少なくとも２つの色の混色からなる混色画像との４つの分解画像を生成する分解画像生成部と、
各前記分解画像の輝度を求める輝度算出部と、
各前記分解画像の輝度の大きさの順位と、前記混色画像の輝度と各前記第１〜第３原色画像の輝度との差が所定の閾値以下か否かとに基づいて、各前記分解画像の表示順序を決定する表示順序決定部と、
前記１フレーム期間内に各前記分解画像を前記表示順序にしたがって各々対応する光源によって表示する表示部と、
を備えたカラー表示装置。
【請求項２】
前記表示順序決定部は、前記混色画像を、前記表示順序における１番目または４番目の端の順序位置、および２番目または３番目の中央の順序位置のいずれに配置するかの判断を含み、前記判断により得られた端の順序位置か中央の順序位置かの前記混色画像の位置制約を満たすように前記表示順序を決定することを特徴とする請求項１に記載のカラー表示装置。
【請求項３】
前記表示順序決定部は、前記第１〜第３原色画像および前記混色画像を輝度の高い順にならべ、輝度の差が所定の閾値以下でありかつ前記混色画像より輝度の低い原色画像が存在するときはそれらの原色画像のうち最も輝度が低いものの次に前記混色画像を移動することにより前記第１〜第３原色画像および前記混色画像に対して新たにフィールド順位を設定し、
フィールド順位が３、１、２、４の順、または、４、２、１、３の順に各前記分解画像の表示順序を決定することを特徴とする請求項１に記載のカラー表示装置。
【請求項４】
前記輝度算出部は、前記分解画像の輝度として、前記分解画像に含まれる第１輝度閾値より大きい輝度をもつ画素の数、前記分解画像に含まれる全画素数に対する前記大きい輝度をもつ画素の数の割合、または前記大きい輝度をもつ画素の輝度の総和あるいは平均を計算することを特徴とする請求項１ないし３のいずれか一項に記載のカラー表示装置。
【請求項５】
前記入力画像から動いている領域のエッジ部を検出するエッジ検出部をさらに備え、
前記輝度算出部は、検出された前記エッジ部の輝度を求めることを特徴とする請求項１ないし４のいずれか一項に記載のカラー表示装置。
【請求項６】
前記第１〜第３原色は、赤色、緑色、青色であり、前記混合色は白色であることを特徴とする請求項１ないし５のいずれか一項に記載のカラー表示装置。
【請求項７】
第１原色、第２原色、第３原色からなる入力画像の各フレームを順次表示するカラー表示装置であって、
１フレームの前記入力画像を入力する画像入力部と、
前記１フレームの入力画像から、前記第１原色からなる第１原色画像と、前記第２原色からなる第２原色画像と、前記第３原色からなる第３原色画像と、前記第１原色、前記第２原色、前記第３原色のうち少なくとも２つの色の混色からなる混色画像との４つの分解画像を生成する分解画像生成部と、
各前記分解画像の輝度を求める輝度算出部と、
前記混色画像の輝度の順位が３位または４位であるときは、各前記分解画像の表示順序における前記混色画像の順序位置を１番目または４番目に決定し、
前記混色画像の輝度の順位が１位または２位であり前記混色画像の輝度値と輝度の順位が３位の原色画像の輝度値と差が所定閾値以下であるときは、前記表示順序における混色画像の順序位置を１番目または４番目に決定し、
前記混色画像の輝度の順位が１位または２位であり前記混色画像の輝度値と輝度の順位が３位の原色画像の輝度値と差が前記所定閾値より大きいときは前記混色画像の順序位置を２番目または３番目に決定し、
前記第１〜第３原色画像の順序位置を前記混色画像と異なる順序位置に決定する、
表示順序決定部と、
前記表示順序決定部により決定された各前記分解画像の順序位置に基づく表示順序により前記１フレーム期間内に各々対応する光源によって各前記分解画像を表示する表示部と、
を備えたカラー表示装置。
【請求項８】
第１原色、第２原色、第３原色からなる入力画像の各フレームを順次表示するカラー表示装置であって、
１フレームの前記入力画像を入力する画像入力部と、
前記１フレームの入力画像を、前記第１原色からなる第１原色画像と、前記第２原色からなる第２原色画像と、前記第３原色からなる第３原色画像と、前記第１原色、前記第２原色、前記第３原色のうち少なくとも２つの色の第１混色からなる第１混色画像と、前記第１混色と異なる第２混色からなる第２混色画像との５つの分解画像を生成する分解画像生成部と、
各前記分解画像の輝度を求める輝度算出部と、
各前記分解画像の輝度の大きさ順と、
前記第１混色画像の輝度と各前記第１〜第３原色画像の輝度との差が所定閾値以下か否かと、
前記第２混色画像の輝度と各前記第１〜第３原色画像の輝度との差が所定閾値以下か否かと、に基づいて、各前記分解画像の表示順序を決定する表示順序決定部と、
前記入力画像の１フレーム期間内に各前記分解画像を前記表示順序にしたがって各々対応する光源によって表示する表示部と、
を備えたカラー表示装置。
【請求項９】
前記表示順序決定部は、前記第１、第２混色画像を、前記表示順序における１番目または５番目の端の順序位置、および２番目または３番目または４番目の中央の順序位置のいずれに配置するかの判断を含み、前記判断により得られた端の順序位置か中央の順序位置かの前記第１、第２混色画像の位置制約を満たすように前記表示順序を決定することを特徴とする請求項８に記載のカラー表示装置。
【請求項１０】
前記表示順序決定部は、
前記第１〜第３原色画像および前記第１、第２混色画像を輝度の高い順にならべ、輝度の差が所定の閾値以下でありかつ前記第１混色画像より輝度の低い原色画像が存在するときはそれらの原色画像のうち輝度が最も低いものの次に前記混色画像を移動し、輝度の差が前記所定の閾値以下でありかつ前記第２混色画像より輝度の低い原色画像が存在するときはそれらの原色画像のうち輝度が最も低いものの次に前記第２混色画像を移動することにより、各前記分解画像に対して新たにフィールド順位を設定し、
フィールド順位が４位、２位、１位、３位、５位の順、あるいは、５位、３位、１位、２位、４位の順に各前記分解画像の表示順序を決定することを特徴とする請求項８に記載のカラー表示装置。
【請求項１１】
前記表示順序決定部は、前記第１混色画像と前記第２混色画像とのフィールド順位が隣接し、かつ、あらかじめ与えられた条件が満たされる場合は、前記第１混色画像と前記第２混色画像とのフィールド順位を入れ替えることを特徴とする請求項１０に記載のカラー表示装置。
【請求項１２】
前記輝度算出部は、前記分解画像の輝度として、前記分解画像に含まれる第１輝度閾値より大きい輝度をもつ画素の数、前記分解画像に含まれる全画素数に対する前記大きい輝度をもつ画素の数の割合、または前記大きい輝度をもつ画素の輝度の総和あるいは平均を計算することを特徴とする請求項８ないし１１のいずれか一項に記載のカラー表示装置。
【請求項１３】
前記入力画像から動いている領域のエッジ部を検出するエッジ検出部をさらに備え、
前記輝度算出部は、検出された前記エッジ部の輝度を求めることを特徴とする請求項８ないし１２のいずれか一項に記載のカラー表示装置。
【請求項１４】
前記第１〜第３原色は、赤色、緑色、青色であり、前記第１および第２混合色は、白色、マゼンダ、シアン、イエローのいずれかであることを特徴とする請求項８ないし１３のいずれか一項に記載のカラー表示装置。
【請求項１５】
第１原色、第２原色、第３原色からなる入力画像の各フレームを順次表示するカラー表示方法であって、
１フレームの前記入力画像を入力し、
前記１フレームの入力画像から、前記第１原色からなる第１原色画像と、前記第２原色からなる第２原色画像と、前記第３原色からなる第３原色画像と、前記第１原色、前記第２原色、前記第３原色のうち少なくとも２つの色の混色からなる混色画像との４つの分解画像を生成し、
各前記分解画像の輝度を求め、
各前記分解画像の輝度の大きさの順位と、前記混色画像の輝度と各前記第１〜第３原色画像の輝度との差が所定の閾値以下か否かとに基づいて、各前記分解画像の表示順序を決定し、
前記１フレーム期間内に各前記分解画像を前記表示順序にしたがって各々対応する光源によって表示する、
ことを特徴とするカラー表示方法。
【発明の詳細な説明】
【技術分野】
【０００１】
本発明は、カラー画像を複数の分解画像（フィールド）に分解して時間的に順次表示するカラー表示装置およびカラー表示方法に関する。
【背景技術】
【０００２】
カラー表示装置として、カラーフィルタを持たずに、モノクロ表示の液晶パネルと、バックライトとして赤（以下、Ｒと表示する）、緑（以下、Ｇと表示する）、青（以下、Ｂと表示する）の三原色の光源を用い、１フレーム期間内に複数の各フィールドを順次表示するフィールドシーケンシャル表示方式のカラー液晶パネルが提案されている。
【０００３】
この表示方式は、１つの画素でカラー表示が可能になるため、ディスプレイの高解像度化の一つの手段として注目され、また、カラーフィルタがないため、高透過率という利点がある。１画面の表示更新が完了するのに必要な期間である１フレーム期間は、各色情報を表示する複数のフィールドで構成される。つまり、一つの画像を表示するためには、三原色を用いるのならば、Ｒフィールド、Ｇフィールド、Ｂフィールドを必要とする。
【０００４】
従来の表示装置においては、入力されたカラー画像信号に含まれるＲ、Ｇ、Ｂの三原色信号をそれぞれの入力端子に入力し、パネル駆動部へ送られる。パネル駆動部では、Ｒ、Ｇ、Ｂの三原色信号は３倍速で送られて、順にパネルに表示される。このとき、光源は、パネルで表示されている信号に対応する色にて、順次点灯される。
【０００５】
つまり、パネルにＲ画像が表示されているフィールドでは、Ｒ光源が点灯し、Ｇ画像が表示されているフィールドではＧ光源が点灯し、Ｂ画像が表示されているフィールドではＢ光源が点灯する。このように、Ｒ、Ｇ、Ｂの各画像を時分割で順次表示することにより、目の残光性を利用してフルカラー画像を表示することができる。
【０００６】
しかしながら、動いている物体（以後、動体）を観察者の眼球が追従して観察している場合、観察者の眼球は動体を追従して動いているにもかかわらず、フィールド内の動体画像は１フレーム期間中同じ場所に表示される。このため、観察者の網膜上ではそれらの動体画像がずれて合成され、目のホールド効果によって色割れ妨害が起こる。
【０００７】
図１２は、色割れを説明する概念図である。白箱画像１００が画面内において図中右方向に移動している。符号１０１は、同一フレーム内で色割れが起こる、フレーム内色割れを示している。本来であれば、ｎフレームにおいて白い箱が表示されるはずであるが、前述したように、網膜上の残像の位置がずれてしまうため、白い箱の左側には、ＧとＢの混色のシアン（以後Ｃ）およびＢの色付きが発生し、右側にはＲの色付きが発生してしまっている。また、フレームが切り替わる部分では、ｎフレームのＢフィールドと、ｎ＋１フレームのＲフィールドおよびＧフィールドとが網膜上でずれて結合されてしまい、符号１０２に示すようなフレーム間色割れが生じてしまう。
【０００８】
そこで、これらの色割れを低減するために、例えば特開２００２−１６９５１５号公報（特許文献１）に開示されているように、駆動方式を工夫したさまざまな方式が提案されている。この特許文献１に開示された技術の一つとして、Ｒ、Ｇ、Ｂの三原色フィールドと白色（以後Ｗ）のフィールドとを含む、少なくとも５つ以上のフィールドを順次駆動する方式がある。特許文献１では、Ｒ、Ｇ、Ｂの３原色に加え、ＲとＧの混色のイエロー（以後Ｙ）、Ｃ、ＢとＲの混色のマゼンタ（以後Ｍ）、Ｗを用いた、７つのフィールドでの実施が推奨されている。
【０００９】
特許文献１の技術では、あるカラー画像信号（Ｒ、Ｇ、Ｂの信号）が入力されたときに、そのカラー画像信号からW成分を減算することで、カラー画像信号を第１減算結果信号（カラー画像信号からＷ成分が減算された信号）とW信号とに分離する。第１減算結果信号には、W成分以外の混色成分として、R・G・Bのうちの2色からなる混色成分が含まれている。そこで上記第１減算結果信号からこの混色成分を減算することで、この第１減算結果信号を混色信号と第２減算結果信号（Ｒ、Ｇ、Ｂのいずれかの信号）とに分離する。これにより、最終的にはカラー画像信号を、W信号と、2色からなる混色信号と、残りの３原色成分の信号（Ｒ、Ｇ、Ｂのいずれかの信号）との、３つの画像信号に分離することができる。この後、同時加法混色によって単色画像を表示可能な画像表示手段を用いて３つの各画像信号を順次表示することで、混色成分が時間的に分離することのない表示が可能となる。これにより、目に付きやすいフレーム内の色割れを少なくすることができる。
【００１０】
また、特許文献１には次のような技術も開示されている。例えば１フレームを７つのフィールドに分割し、フレーム内に非表示のフィールドを入れるとともに（フレーム間に非表示のフィールドを入れる）、分離により得た各画像信号を出力する順序は、高輝度な輝度をもつものほど１フレーム内において時間的に中央に位置させる。これにより、インパルス型の表示方法に近くなり、フレーム間の色割れが改善できるのと同時に、動画表示性能を向上できる。
【特許文献１】特開２００２−１６９５１５号公報
【発明の開示】
【発明が解決しようとする課題】
【００１１】
特許文献１に記載の技術のように、分離により得た各画像信号の輝度を比較し、高輝度な画像信号ほど１フレーム内において時間的に中央に位置するように各画像信号の出力順序を設定すると、フレーム間の色割れは改善され、動画特性がよくなる。
【００１２】
しかしながら、フレーム内では、高輝度の混色フィールドが中央に位置することにより、エッジの色割れが強調されてしまうこともある。一方、カラー画像信号の分解数が高くなると、表示周波数を上げることにつながるので、駆動回路としてもデータ転送高速化に伴う消費電力の増大等、困難が増加する。そこで、フィールド数を下げて、４フィールドで適用した場合には、上述のフレーム内の色割れが顕著に現れてしまう。以下これについて詳しく説明する。
【００１３】
あるＲ、Ｇ、Ｂのカラー画像信号をＲ、Ｇ、Ｂ各フィールドの３フィールドで表示する場合（ＲＧＢ方式）と、Ｒ、Ｇ、Ｂ各フィールド＋Ｗフィールドの４フィールドで表示する場合（ＲＧＢＷ方式）とを考える。
【００１４】
ＲＧＢ方式において、カラー画像信号をＲ、Ｇ、Ｂの３つに分離した結果、Ｒの画像信号とＧの画像信号との輝度が同一で、Ｂの画像信号の輝度がこの半分であるとする。表示順序はＲ、Ｇ、Ｂの順であるとする。
【００１５】
一方、ＲＧＢＷ方式において、上記と同一のカラー画像信号をＲ、Ｇ、Ｂ、Ｗの４つに分離した結果、Ｗの画像信号の輝度が最も高く、ＲとＧの画像信号の輝度が２番目に高く、Ｂの画像信号の輝度が０であったとする。特許文献１に記載の技術では、高輝度の信号ほど１フレーム内において時間的に中央に位置させることから、ＲＧＢＷ方式では、表示順序はＲＷＧＢの順となる。なお、ＲＧＢＷ方式では、１フレームに４フィールドを出力しなくてはならないため、ＲＧＢ方式に比較し、短時間で同じ光量を光らせなくてはならない。したがって、ＲＧＢＷ方式では、４つの各フィールドにおいて、画像信号を４／３倍の輝度で光らせる必要がある。
【００１６】
上記カラー画像信号が箱型の画像を表すとした場合の、ＲＧＢ方式およびＲＧＢＷ方式の各方式でのフレーム内色割れを図１３および図１４を用いて説明する。
【００１７】
図１３（Ａ）ではＲＧＢ方式のときの出力信号を示しているとすると、斜線部がＷフィールド用に抽出される部分となる。一方、特許文献１の技術では、高輝度の信号ほど１フレーム内において時間的に中央に位置されることから、ＲＧＢＷ方式のときの出力信号は図１４（Ａ）のようになる。図１３（Ａ）の出力信号の場合、図１３（Ｂ）のように、箱の左側に、ＹとＢとの色付きが発生し、右側には、ＣとＲとの色付きが発生する。図１４（Ａ）の出力信号の場合、図１４（Ｂ）のように、箱の左側に、ＧとＧ＋Ｗとの色付きが発生し、右側には、ＲとＲ＋Ｗとの色付きが発生する。
【００１８】
ＲＧＢ方式に比較して、ＲＧＢＷ方式では、フィールド１枚あたりの表示時間が３／４倍になるため、色付きが発生する領域が狭くなり、色割れが知覚されにくくなるが、ＲＧＢＷ方式の場合、ＧとＧ＋Ｗとの色割れが連続してしまう。Ｇ＋Ｗでは、Ｗが重なっており、この分、Ｇの輝度が高くなったように知覚されて、Ｇが強調される。また、Ｇの色割れが２フィールドに渡って表示されるため、Ｇの色付きが生じる領域が増えたようにも知覚され、Ｇの色割れがより顕著になる。同様に、箱の右側では、Ｒ＋ＷにおいてＷが重なっており、この分、Ｒの輝度が高くなったような色付きが知覚されて、Ｒの色割れが強調される。またＲの色付きが知覚される領域が増えて感じられ、Ｒの色割れがより顕著になる。
【００１９】
本発明は、少ないフィールド数の駆動でも、色割れ妨害をできるだけ低減させたカラー表示装置およびカラー表示方法を提供する。
【課題を解決するための手段】
【００２０】
本発明の一態様としてのカラー表示装置は、
第１原色、第２原色、第３原色からなる入力画像の各フレームを順次表示するカラー表示装置であって、
１フレームの前記入力画像を入力する画像入力部と、
前記１フレームの入力画像から、前記第１原色からなる第１原色画像と、前記第２原色からなる第２原色画像と、前記第３原色からなる第３原色画像と、前記第１原色、前記第２原色、前記第３原色のうち少なくとも２つの色の混色からなる混色画像との４つの分解画像を生成する分解画像生成部と、
各前記分解画像の輝度を求める輝度算出部と、
各前記分解画像の輝度の大きさの順位と、前記混色画像の輝度と各前記第１〜第３原色画像の輝度との差が所定の閾値以下か否かとに基づいて、各前記分解画像の表示順序を決定する表示順序決定部と、
前記１フレーム期間内に各前記分解画像を前記表示順序にしたがって各々対応する光源によって表示する表示部と、
を備える。
【００２１】
本発明の一態様としてのカラー表示装置は、
第１原色、第２原色、第３原色からなる入力画像の各フレームを順次表示するカラー表示装置であって、
１フレームの前記入力画像を入力する画像入力部と、
前記１フレームの入力画像から、前記第１原色からなる第１原色画像と、前記第２原色からなる第２原色画像と、前記第３原色からなる第３原色画像と、前記第１原色、前記第２原色、前記第３原色のうち少なくとも２つの色の混色からなる混色画像との４つの分解画像を生成する分解画像生成部と、
各前記分解画像の輝度を求める輝度算出部と、
前記混色画像の輝度の順位が３位または４位であるときは、各前記分解画像の表示順序における前記混色画像の順序位置を１番目または４番目に決定し、
前記混色画像の輝度の順位が１位または２位であり前記混色画像の輝度値と輝度の順位が３位の原色画像の輝度値と差が所定閾値以下であるときは、前記表示順序における混色画像の順序位置を１番目または４番目に決定し、
前記混色画像の輝度の順位が１位または２位であり前記混色画像の輝度値と輝度の順位が３位の原色画像の輝度値と差が前記所定閾値より大きいときは前記混色画像の順序位置を２番目または３番目に決定し、
前記第１〜第３原色画像の順序位置を前記混色画像と異なる順序位置に決定する、
表示順序決定部と、
前記表示順序決定部により決定された各前記分解画像の順序位置に基づく表示順序により前記１フレーム期間内に各々対応する光源によって各前記分解画像を表示する表示部と、
を備える。
【００２２】
本発明の一態様としてのカラー表示装置は、
第１原色、第２原色、第３原色からなる入力画像の各フレームを順次表示するカラー表示装置であって、
１フレームの前記入力画像を入力する画像入力部と、
前記１フレームの入力画像を、前記第１原色からなる第１原色画像と、前記第２原色からなる第２原色画像と、前記第３原色からなる第３原色画像と、前記第１原色、前記第２原色、前記第３原色のうち少なくとも２つの色の第１混色からなる第１混色画像と、前記第１混色と異なる第２混色からなる第２混色画像との５つの分解画像を生成する分解画像生成部と、
各前記分解画像の輝度を求める輝度算出部と、
各前記分解画像の輝度の大きさ順と、
前記第１混色画像の輝度と各前記第１〜第３原色画像の輝度との差が所定閾値以下か否かと、
前記第２混色画像の輝度と各前記第１〜第３原色画像の輝度との差が所定閾値以下か否かと、に基づいて、各前記分解画像の表示順序を決定する表示順序決定部と、
前記入力画像の１フレーム期間内に各前記分解画像を前記表示順序にしたがって各々対応する光源によって表示する表示部と、
を備える。
【００２３】
本発明の一態様としてのカラー表示方法は、
第１原色、第２原色、第３原色からなる入力画像の各フレームを順次表示するカラー表示方法であって、
１フレームの前記入力画像を入力し、
前記１フレームの入力画像から、前記第１原色からなる第１原色画像と、前記第２原色からなる第２原色画像と、前記第３原色からなる第３原色画像と、前記第１原色、前記第２原色、前記第３原色のうち少なくとも２つの色の混色からなる混色画像との４つの分解画像を生成し、
各前記分解画像の輝度を求め、
各前記分解画像の輝度の大きさの順位と、前記混色画像の輝度と各前記第１〜第３原色画像の輝度との差が所定の閾値以下か否かとに基づいて、各前記分解画像の表示順序を決定し、
前記１フレーム期間内に各前記分解画像を前記表示順序にしたがって各々対応する光源によって表示する、
ことを特徴とする。
【発明の効果】
【００２４】
本発明によれば、少ないフィールド数の駆動でも色割れ妨害を低減できる。
【発明を実施するための最良の形態】
【００２５】
本発明の実施形態を以下に図面を参照して説明する。
【００２６】
図１は、本発明の実施形態としてのカラー表示装置の構成を概略的に示す。図２は、図１のカラー表示装置の詳細な構成を示す。
【００２７】
図１のカラー表示装置は、入力部１と、分解画像生成部２と、分解画像輝度算出部（輝度算出部）３と、表示順序決定部４と、液晶表示部５とを備えている。
【００２８】
図２に示すように、入力部は入力端子１ａと、信号分離部１ｂとを含む。分解画像生成部２は、最小値検出回路２ａと、減算処理回路２Ｒ、２Ｇ、２Ｂとを含む。表示順序決定部４は第４成分位置判別部６と表示順序出力部７とを含む。表示部５は、パネル駆動部１０と、液晶パネル１１と、光源駆動部１２と、光源ユニット１３とを含む。
【００２９】
入力部１における入力端子１ａに、Ｒ、Ｇ、Ｂの各色からなるカラー画像信号（１フレームのカラー画像）が入力される。カラー画像は複数の画素を有し、各画素はＲ、Ｇ、Ｂの３つの色成分をもつ。本実施形態ではＲＧＢからなるカラー画像が入力されるとするが、ＲＧＢでない他の３つの色からなるカラー画像を扱うことも可能である。信号分離部１ｂは、入力端子１ａに入力されたカラー画像信号をＲ、Ｇ、Ｂの各色信号に分離してそれぞれ分解画像生成部２に並列に送る。ここで、信号を輝度として扱うため、逆γ変換等が必要になるが、ここではそのような操作が既に行われているものとする。また、液晶表示部５の応答速度の遅延および、３原色光源のオン・オフ時の遅延による過渡的な透過状態は考えないものとする。
【００３０】
分解画像生成部２における最小値検出回路２ａは、Ｒ、Ｇ、Ｂの各色信号のそれぞれ対応する画素において、Ｒ、Ｇ、Ｂの色信号の最小値Ｗを検出し、検出した最小値Ｗをホワイト（Ｗ）の信号として出力する。
【００３１】
減算処理回路２Ｒは、信号分離部１ｂから入力されたＲの信号から最小値Ｗを減算し、減算結果Ｒ’（＝Ｒ−Ｗ）を分解画像輝度算出部３に送る。減算処理回路２Gは、信号分離部１ｂから入力されたＧの信号から最小値Ｗを減算し、減算結果Ｇ’（＝Ｇ−Ｗ）を分解画像輝度算出部３に送る。減算処理回路２Ｂは、信号分離部１ｂから入力されたＢの信号から最小値Ｗを減算し、減算結果Ｂ’（＝Ｂ−Ｗ）を分解画像輝度算出部３に送る。このようにＲ、Ｇ、Ｂの各色信号のそれぞれ対応する画素から最小値（ホワイト成分値）Ｗを検出して分解画像輝度算出部３に送るとともに、Ｒ、Ｇ、Ｂの各色信号から最小値Ｗを減算した結果を分解画像輝度算出部３に送る。分解画像生成部２の処理の一例を図７に示す。この例では、最小値がＢの輝度であるため、この輝度を最小値Ｗとして検出し、ＲＧＢの各信号から最小値Ｗ（Ｂの輝度値）を減算する。なお、減算の結果、Ｂの輝度は０になっている。
【００３２】
このように入力部１と分解画像生成部２とによって、入力画像が複数の分解画像（フィールド）に分解される。各フィールドはＲフィールド、Ｇフィールド、Ｂフィールドと、ＲＧＢのうち２つ以上の色の混合からなる混合色（第４成分の色）フィールド（本例ではＷフィールド）とからなる。すなわち、入力部１と分解画像生成部２とによって、入力画像を、第１原色からなる画像である第１原色画像と、第２原色からなる画像である第２原色画像と、第３原色からなる画像である第３原色画像と、第１原色、第２原色、第３原色のうち少なくとも２つの色の混色からなる混色画像との４つの画像に分解する。
【００３３】
分解画像輝度算出部３は、各分解画像（フィールド）について各々に含まれる各画素の輝度値から累積ヒストグラムを算出する。より詳細には、１つ以上の閾値（第１輝度閾値〜第ｎ輝度閾値）を用い、各閾値以上の輝度をもつ画素数を検出し、横軸を輝度範囲、縦軸を画素数（累積度数）とした累積ヒストグラムを作成する。ここでｎは１以上の整数であり、第１輝度閾値＞第２輝度閾値＞・・・＞第ｎ輝度閾値とする。したがって累積ヒストグラムにおける各輝度範囲は、第１輝度閾値〜最高輝度、第２輝度閾値〜最高輝度、・・・第ｎ輝度閾値〜最高輝度となり、後にいくほど、その輝度範囲に含まれる画素数は大きくなる。このような累積ヒストグラムを各分解画像のそれぞれから得る。
【００３４】
ここで、累積ヒストグラムの算出対象をフィールド全体としても効果が得られる画像も多いが、フレーム内で起こる色割れのほとんどは、動いている物体のエッジ部で知覚される。したがって、静止している部分に輝度の高い画素が集中している場合は、フィールド全体から算出した累積ヒストグラムを後述する表示順序決定部４での処理で用いてもあまり効果が得られない。
【００３５】
そのため、色割れが知覚されやすい動体のエッジ部を入力画像から検出しておき、そのエッジ部の領域を対象として累積ヒストグラムを算出する方法がより効果的である。例えば、時間的に隣り合う２つのフレーム画像のエッジ検出を行い、２つのフレームのエッジの動きベクトルの大きさに基づいてその検出したエッジ部が動体のエッジ部であるかどうかを検査するようにすればよい。また、複数の動体が検出された場合には、検出された動体の大きさおよび動きベクトルの大きさから対象とすべき動体のエッジ部を特定するか、もしくは複数の動体のエッジ部全体をそのまま採用する。これらの目的のため、図９に示すように、入力部１に対して入力画像から動いている領域のエッジ部を検出するエッジ検出部１４を設け、このエッジ検出部１４で検出したエッジ部の情報を分解画像輝度算出部３に送るようにする。分解画像輝度算出部３はエッジ部から累積ヒストグラムを算出する。
【００３６】
エッジ部を対象とする他に、観察者の注視点位置を含む領域を主要な色割れ領域として決定することもできる。注視点検出方法にはいくつかの方法が考えられるが、観察者の眼球に近赤外の照明を当てた際の角膜反射像と瞳孔中心位置とより、観察者の注視点を検出する方法を用いればよい。
【００３７】
表示順序決定部４は、分解画像輝度算出部３で各分解画像から得られた累積ヒストグラム（輝度範囲と画素数との関係）を使用して、各フィールドの表示順序を決定する。すなわち、各フィールドを表示順序する際の各フィールドの順序位置（１フレーム期間における時間的な位置）を決定する。この処理についての詳細は後述する。表示順序決定部４は、決定した表示順序にしたがって、ＲＧＢＷの各色の信号を、表示部５におけるパネル駆動部１０へ送る。すなわち各色の画像を表示順序にしたがった順にパネル駆動部１０に送る。
【００３８】
パネル駆動部１０は、受け取った各色信号を表示順序にしたがって液晶パネル１１へ４倍速で送る。一方、パネル駆動部１０は、光源ユニット１３を駆動するための駆動信号を各色の表示順序に従って光源駆動部１２に送り、光源ユニット１３は、光源駆動部１２の制御を受けて、液晶パネル１１に送られた信号に対応する色の光源を、順次点灯する。これにより液晶パネル１１に各色の画像が順番に表示される。すなわち１フレーム期間の４分の１のスピードで各色の画像が順次表示される。ここで光源ユニット１３は例えばＲ光源、Ｇ光源、Ｂ光源を有し、Ｒの画像が表示されるときはＲ光源を発光し、Ｇの画像が表示されるときはＧ光源を発光し、Ｂの画像が表示されるときはＢ光源を発光する。Ｗの画像が液晶パネル１１に表示されるときは、これら３つの光源を同時に発光させることによりＷ光を液晶パネル１１に照射してもよいし、Ｗ光を発光する光源を別途用意してこの光源を発光させてもよい。
【００３９】
図３は、表示順序決定部４により行われる処理の流れ（その１）を説明するフローチャートである。
【００４０】
図３に示す処理は一例であり、他の処理方法を用いても、本発明の範囲に含まれることを妨げない。
【００４１】
まず、表示順序決定部４は、各フィールドの累積ヒストグラムを用いて、各フィールド間で第１輝度閾値以上の輝度の累積度数を比較し、累積度数の大きい順に、各フィールドに対し順位（輝度順位）を設定する（Ｓ１１）。累積度数は例えば“画像の輝度”あるいは“フィールドの輝度”に相当する。累積度数の代わりに、第１輝度閾値以上の画素の輝度の総和または平均値、あるいは画像内の全画素数に対する累積度数の割合を用いてもよい。高い輝度は色割れに大きく影響するため、このように第１輝度閾値以上の輝度の累積度数を比較することにより、有効な評価が可能となる。すなわち、輝度の低い部分は色割れには、大きく寄与しないことがわかっているため、輝度の低い部分も含めた全体の平均値を輝度として算出し、その輝度を判断に使用すると、実際の色割れの程度を反映できない。つまり、そのように算出された輝度を元に各フィールドの表示順序を決定しても、色割れ改善効果が得られない。そこで、輝度の高い画素を評価の対象とする。
【００４２】
第１輝度閾値以上の輝度の累積度数に差がなく、同じ輝度順位になってしまうフィールドが存在する場合には（Ｓ１２のＮＯ）、第２輝度閾値以上の輝度の累積度数を比較することによりの順位を決定する（Ｓ１３）。順位が一意に決まるまで、輝度閾値を順次下げて同様の処理を行う。本例では第１輝度閾値による比較で各フィールドの輝度順位が決定したとする（Ｓ１２のＹＥＳ）。このときの各フィールドの累積度数を図４に示す。輝度順位として、Ｗが１位、Ｒが２位、Ｇが３位、Ｂが４位となっている。
【００４３】
ここで第１輝度閾値は、例えば最大輝度の半分とできるが、照明の明るさなどの視環境、または画像のヒストグラム分布によって、色割れの目立つとされる輝度は変化する。したがって、累積ヒストグラムの生成においては、これらの情報を用いて、第１輝度閾値〜第ｎ輝度閾値、ならびにｎの値を変化させることが望ましい。
【００４４】
表示順序決定部４は、第４成分位置判別部６において、Ｗフィールドの輝度順位が２位以上であるかどうかを検査し（Ｓ１４）、２以上でないとき（Ｓ１４のＮＯ）、すなわち、３位もしくは４位のときは、各フィールドの表示順序を、各フィールドの輝度順位に基づいた規定の表示順序、すなわち、輝度順位が３位、１位、２位、４位のフィールドの順とする（Ｓ１５）。つまり、Ｗフィールドを、１番または４番の表示順序（フレームの端）に決定する。上記規定の表示順序はインパルス型の表示方法に相当し、例えば輝度順位がＲ、Ｇ、Ｂ、Ｗの順であったとすると、表示順序はＢ、Ｒ、Ｇ、Ｗとなる。上記規定の表示順序は、４位、２位、１位、３位でもよい。Ｓ１５の処理について詳細に説明すると以下の通りである。
【００４５】
仮に、各分解画像を、分解画像の輝度（本例では累積度数）を考慮せずに任意の順に出力（表示）すると、輝度の高いフィールドとフィールドとの間に、輝度の低いフィールドが表示され、知覚される色割れの幅が広くなってしまう。そこで、輝度の高いフィールド同士がなるべく隣接するように、フィールドを入れ替える。輝度の一番高いフィールドを最初に配置するのではなく、2番目とすることで、輝度が一番高いフィールドと二番目に高いフィールドが隣り合うのと同時に、一番高いフィールドと三番目に高いフィールドが隣り合うようにする。これにより色割れが一層に改善される。このことは、２つのフレームの間でのフィールドの相関より、１つのフレーム内での各フィールドの相関の方が高いことからも、効果的である。すなわち、高輝度な輝度をもつフィールドほどフレーム内において時間的に中央に位置させ、これにより、インパルス型の表示方法に近くし、動画表示性能を向上できる。
【００４６】
Ｓ１４において、Ｗフィールドの輝度順位が２位以上であった場合は（Ｓ１４のＹＥＳ）、表示順序決定部４は、第４成分位置判別部６を用いて、Ｗフィールドの累積度数と、輝度順位が３位のフィールドの累積度数とを比較し、この差の大きさが、所定閾値以下かどうかを判断する（Ｓ１６）。すなわち、Wフィールドを、表示順序における２番目または３番目（フレームの中央）に配置してよいかどうかを判断する。つまり、本例のように４フィールド出力の場合、輝度順位が２位以上にならなければ、Ｗフィールドは時間的に中央（２番目または３番目）に位置することはないので、輝度順位が３位以下のときはWフィールドの順序位置を考慮する必要がないが、２位以上のときは、Wフィールドと３位のフィールドとの累積度数を比較して、Ｗフィールドを中央に配置してよいかどうかを判断する。これについての詳細は後述する。
【００４７】
差の大きさが所定閾値より大きいときは、Ｓ１５に進み、各フィールドの表示順序を、上記規定の表示順序、すなわち、輝度順位が３位、１位、２位、４位のフィールドの順とする。すなわち、表示順序におけるＷフィールドの順序位置を、フレームの中央に決定する。例えば、Ｗフィールド以外のフィールドのうち２色以上のフィールドの輝度値（累積度数）が０といった場合（３位のフィールドの累積度数が０）、Ｗフィールドを最初あるいは最後に持ってくる必要はなく、フレーム間の色割れを減らすために、時間的に中央（２番目または３番目の順序位置）に配置する。
【００４８】
一方、差の大きさが所定閾値以下のときは、Ｗフィールドを１番目とし（フレームの端とし）、残りのフィールドを、輝度順位の高い順とする（Ｓ１７）。すなわちWフィールドと３位のフィールドとを比較した差が小さい場合は、フレーム内での色割れが顕著にならないように、Wフィールドを最初あるいは最後に表示させるようにする。例えば、図４の例において、ＷとＧとの累積度数の差が所定閾値以下とすると、図５のように、Ｗフィールド、Ｒフィールド、Ｇフィールド、Ｂフィールドの順を表示順序として決定する。このように、Ｗフィールドの位置判別（Ｗフィールドを時間的に中央（２番目または３番目）に配置するか端（１番目または４番目）に配置するかの判別）をする場合としない場合とでは、表示順序が大きく変わり、判別を行った場合には、色割れが強調されることのない、表示性能の向上の効果が発揮される。ここで、Ｓ１６およびＳ１７についてさらに説明すると以下の通りである。
【００４９】
仮に、Ｓ１６において差の大きさが所定閾値以下のときに、Ｓ１５のようにフィールドの表示順序を決定すると、すなわち、輝度の高いＷフィールドが時間的に中央に位置するように並べ替えると、図６のようになる（Ｇ、Ｗ、Ｒ、Ｂの順の表示）。しかしながら、前述したように、Wフィールドがフレームの時間的に中央（２番目または３番目）に位置すると、Ｗが重なった分、隣接するフィールドとの間での色割れが明るくなってしまい、強調されてしまう。また、同じ系統の色が続くことから、２つのフィールドにまたがる色割れが、太い色割れとして認識されてしまい、顕著になる。そこで、Ｓ１６およびＳ１７のようにＷフィールドをフレームの中央に表示してよいかどうかを判別することで、色割れの強調されることのない高い表示性能を得る。
【００５０】
Ｓ１６の処理において、Wフィールドと３位のフィールドと比較した差の閾値（所定閾値）は、例えば２０パーセント以上（分解画像の輝度として割合値を用いた場合）とできるが、照明の明るさなどの視環境や、画像のヒストグラム分布によって、色割れの目立つとされる輝度は変化する。それに応じて所定閾値を変化させることが望ましい。
【００５１】
このようにして各フィールドの表示順序が決定されたら、表示順序決定部４における表示順序出力部７は、各フィールドの信号を表示部５に出力する。たとえばWフィールドを最初に表示させる場合（Ｓ１７に進む場合）、一番目をWフィールドとし、残りの三原色のフィールドは、決定された輝度順位の高いほうから出力する。Wフィールドを最初に表示させる必要がない場合（Ｓ１６からＳ１５に進む場合）、最初に輝度順位が３位のフィールド、次に１位のフィールド、その次に２位のフィールド、最後に4位のフィールドの信号を出力する。
【００５２】
図１１は、表示順序決定部４により行われる処理の流れ（その２）を説明するフローチャートである。
【００５３】
まず、累積度数の大きい順に、Ｗ、G、Ｒ、Ｂの各フィールドに対し順位（輝度順位）を設定する（Ｓ３１）。この結果、輝度順位はＷ、G、Ｒ、Ｂの順であったとする。ここで、各フィールドに対して「フィールド順位」を設定する。初期のフィールド順位は輝度順位と同じであるとする。このフィールド順位はＷ，G、Ｒ、Ｂの各フィールドの表示順序を決定するために用いられる。
【００５４】
次に、Ｓ３２において、Ｗフィールドの輝度と、Ｒ、Ｇ、Ｂフィールドの輝度との差をそれぞれ求める。差が所定閾値以下となるフィールドのうち最も輝度順位が低いものの次にＷフィールドのフィールド順位を変更し、他のフィールドのフィールド順位を繰り上げる。ここではＷフィールドとＧフィールドとの輝度の差は所定閾値以下、ＷフィールドとＲフィールドとの輝度の差は所定閾値より大きく、ＷフィールドとＢフィールドとの輝度の差も所定閾値より大きいとする。したがって、Ｗ、G、Ｒ、Ｂから、ＷをGの後に移動して、G、W、Ｒ、Ｂの順にフィールド順位が変更される。
【００５５】
次に、G、W、Ｒ、Ｂの各フィールドを規定の表示順序で表示することを決定する（Ｓ３３）。規定の表示順序は、上記変更後のフィールド順位で３位、１位、２位、４位、あるいは、４位、２位、１位、３位のフィールド順位順であるとする。これはインパルス型の表示方法に相当する。このようにして各フィールドの表示順序が決定されたら、表示順序決定部４における表示順序出力部７は、各フィールドの信号を表示部５に出力する。
【００５６】
本実施形態では、Ｒ、Ｇ、Ｂの色信号の最小値をW成分の値として抽出して、フィールド分解を行ったが、抽出する値は、最小値でなくてもよい。すなわち最小値より小さい値をＷ成分の値として抽出してもよいし、輝度を補償するためにWの信号のみを伸張するといったことにも対応できる。また抽出する成分はＷ成分でなく、例えばＹ成分、Ｃ成分、Ｍ成分、あるいは他の混色成分でもよい。これらのいずれの場合においても色割れ低減の効果が得られる。
【００５７】
また、本実施形態では、フィールドの輝度を算出して表示順序を決定したが、フィールドの輝度ではなく、追従運動に従って観察者の見えを予測し、その色差を計算することによっても最適化できる。具体的には、追従運動に従ってフィールド画像を合成した画像の推測される色割れ部分の色差を計算し、それを様々な表示順序での場合について行い、色差がなるべく小さくなる表示順序を選択するものである。
【００５８】
色差は、次の式で計算される。
【数１】
2008165048.tif 000003
【００５９】
ここで、ijは随従色割れとして知覚される色であり、tijは本来再現されるべき色、kは表示順序の組み合わせである。また、G+W、Gなどの色割れの目立つ組み合わせに合わせて、周波数特性を加味することも考えられる。
【００６０】
以上では、入力画像から生成した４つの分解画像（Ｗ、Ｒ、Ｇ、Ｂ）の表示順序を決定する例（すなわちフィールド出力が４つの場合の例）を示したが、本発明は、フィールド出力が５つの場合でも適用可能である。以下では、入力画像を５つの分解画像に分解し、５つの分解画像について表示順序を決定する例について図１を参照して説明する。
【００６１】
入力部１における入力端子１ａに入力されたカラー画像は、入力部１における信号分離部１ｂと分解画像生成部２とによって５つの分解画像に分解される。ここでは、Ｗ、Ｙ、Ｒ、Ｇ、Ｂの分解画像が得られたとする。例えば、１つの画素に着目して、図８（Ａ）のようにまずＷの信号が抽出され、次いで、図８（Ｂ）のように、Ｙの信号が抽出され、残りの成分が各ＲＧＢの信号となる（この例ではＢ成分は０）。本来であれば、Y成分の抽出でRを０にすることも可能だが、信号抽出が単純でない場合を考え、図のようにした。分解画像輝度算出部３において各分解画像から累積ヒストグラムが生成され、生成された累積ヒストグラムに基づき各分解画像の輝度順位が決定される。表示順序決定部４は、各分解画像の表示順序を決定する。以下表示順序決定部４の処理について図１０のフローチャートを用いて説明する。
【００６２】
前提として輝度順位はＧ、Ｗ、Ｙ、Ｒ、Ｂの順であったとする。ここでＧ、Ｗ、Ｙ、Ｒ、Ｂの各フィールドに対してフィールド順位を設定する。初期のフィールド順位は、輝度順位と同じであるとする。したがって、フィールド順位はＧ、Ｗ、Ｙ、Ｒ、Ｂの順である。まずＳ２１において、Ｗフィールドの輝度（例えば累積度数）と、Ｒ、Ｇ、Ｂフィールドの輝度との差をそれぞれ求める。差が所定閾値以下となるフィールドのうち最も輝度順位が低いものの次にＷフィールドのフィールド順位を変更し、他のフィールドのフィールド順位を繰り上げる。ここではＷフィールドとＧフィールドとの輝度の差は所定閾値以下、ＷフィールドとＲフィールドとの輝度の差は所定閾値以下、ＷフィールドとＢフィールドとの輝度の差は所定閾値より大きいとする。したがって、Ｇ、Ｗ、Ｙ、Ｒ、Ｂから、ＷをＲの後に移動して、Ｇ、Ｙ、Ｒ、Ｗ、Ｂの順にフィールド順位が変更される。
【００６３】
次にステップＳ２２において、上記の処理をＹフィールドについても行う。ここではＹフィールドとＧフィールドとの輝度の差は所定閾値より大、ＹフィールドとＲフィールドとの輝度の差は所定閾値以下、ＹフィールドとＢフィールドとの輝度の差は所定閾値以下とする。したがって、Ｇ、Ｙ、Ｒ、Ｗ、Ｂから、Ｇ、Ｒ、Ｗ、Ｂ、Ｙの順にフィールド順位が変更される。
【００６４】
次に変更後のフィールド順位において、ＷフィールドとＹフィールドとの両方が３位以上、もしくは両方とも４位以下のときは（Ｓ２３のＹＥＳ）、フィールド順位のこれ以上の変更は必要ないので、規定の表示順序で表示することを決定する（Ｓ２４）。規定の表示順序は、上記変更後のフィールド順位で４位、２位、１位、３位、５位の順、あるいは、５位、３位、１位、２位、４位の順であるとする。これはインパルス型の表示方法に相当する。本例では前者を用いるものとする。表示順序における２〜４番目は、フレームの中央に相当し、表示順序における１番目または５番目はフレームの端に相当する。このようにＷフィールドとＹフィールドとが上記変更後のフィールド順位において両方とも３位以上のときは両フィールドがフレームの中央で表示され、両フィールドとも４位以下のときはフレームの端で表示される。
【００６５】
この際、上記変更後のフィールド順位において、ＷフィールドとＹフィールドとのいずれを優先させるかによって、ＷフィールドとＹフィールドとのフィールド順位を最終的に決定する。たとえば、輝度順位の順、あるいは、予め決定した優先順位の順を用い、順位の高い方を前に置く。例えば上記変更後のフィールド順位がＧ、Ｒ、Ｂ、Ｙ、Ｗの順であり、ＷがＹよりも優先される場合、ＹとＷを入れ替えて、Ｇ，Ｒ、Ｂ、Ｗ、Ｙとする。ＷフィールドとＹフィールドとのいずれを優先させるかの他の例として、ある閾値を設け、Ｗフィールドの輝度がＹフィールドの輝度より小さくてもその差が該ある閾値に収まる場合はＷフィールドを優先させ、そうでない場合はＹフィールドを優先させる。これは、Ｗの輝度が高く、Ｒ、Ｇ、Ｂの全ての要素が入っているため、Ｙ、Ｃ、Ｍに比較して目立ちやすい傾向があることに基づく。
【００６６】
上記変更後のフィールド順位において、ＷフィールドとＹフィールドとの一方が３位以上で他方が４位以下のときは（Ｓ２３のＮＯ）、一方のフィールドと、他方のフィールドとの輝度の差が所定閾値以下かどうかを判断する（Ｓ２５）。
【００６７】
所定閾値より大きいときは（Ｓ２５のＮＯ）、フィールド順位をさらに変更することなく、上記一方のフィールド（３位以上のフィールド）をフレームの中央（その輝度に応じた順序位置）で表示し、他方のフィールド（４位以下のフィールド）をフレームの端（その輝度に応じた順序位置）で表示することを決定する（Ｓ２６）。
【００６８】
一方、所定閾値以下のときは（Ｓ２４のＹＥＳ）、ＷフィールドとＹフィールドとをフレームの端（１番目または５番目）とし、残りのフィールドをフレームの中央（２〜４番目）とする（Ｓ２７）。この際、上記変更後のフィールド順位において、ＷフィールドとＹフィールドとのいずれを優先させるかによって、ＷフィールドとＹフィールドとの順序位置を最終的に決定する。この詳細は上述した通りである。
【００６９】
本例では、上記変更後のフィールド順位は、Ｇ、Ｒ、Ｗ、Ｂ、Ｙの順であり、Ｗフィールドが３位以上、Ｙフィールドが４位以下のため、ＷフィールドとＹフィールドとの輝度の差が所定閾値以下かどうかを判断する。ここでは差は所定閾値以下であるとし、この結果、ＷフィールドとＹフィールドの順序位置はフレームの端にされる。つまり、Ｗフィールドを中央で表示させるべきでなく上記変更後のフィールド順位をＧ、Ｒ、Ｂ、Ｗ、ＹまたはＧ、Ｒ、Ｂ、Ｙ、Ｗの順とし、これらのフィールドを上記規定の表示順序に従って表示を行うことを決定する。この際、Ｇ、Ｒ、Ｂ、Ｗ、ＹまたはＧ、Ｒ、Ｂ、Ｙ、Ｗのどちらを採用するか（Ｗ、Ｙのうちどちらをフィールド順位の４位にし、どちらを５位にするか）は、上述のように、ＷフィールドとＹフィールドとのいずれを優先させるかによって決める。
【００７０】
本発明の実施形態の説明においては、表示部として液晶パネルと光源ユニットとを用いた表示装置の例を説明したが、フィールドシーケンシャル表示方式の表示装置であればどんな表示装置を用いてもよい。例えば、ＤＬＰ方式のプロジェクタ等にもでも本実施形態と同様の効果を得ることが可能である。
【００７１】
このように本発明の実施形態によれば、フィールド数を少なくしつつも、フレーム内色割れが顕著になることを回避でき、色割れ低減の効果を得ることができる。
【図面の簡単な説明】
【００７２】
【図１】本発明の第１実施形態のカラー表示装置の構成を示すブロック図。
【図２】図１のカラー表示装置の詳細構成を示すブロック図。
【図３】第１実施形態に係る表示順序決定部による処理（その１）を説明するフローチャート。
【図４】各分解画像の累積度数（輝度）を示す図。
【図５】従来の方法により求めた表示順序を示す図。
【図６】本実施形態により求めた表示順序を示す図。
【図７】Ｗ成分を抽出する例を示す図。
【図８】Ｗ成分とＹ成分を抽出する例を示す図。
【図９】エッジ検出部を追加したカラー表示装置の構成を示すブロック図。
【図１０】表示順序決定部による他の処理の例を説明するフローチャート。
【図１１】第１実施形態に係る表示順序決定部による処理（その２）を説明するフローチャート。
【図１２】フレーム内色割れとフレーム間色割れを説明する図。
【図１３】ＲＧＢ方式でのフレーム内色割れを説明する図。
【図１４】ＲＧＢＷ方式でのフレーム内色割れを説明する図。
【符号の説明】
【００７３】
１    入力部
１ａ  入力端子
１ｂ  信号分離部
２    分解画像生成部
２ａ  最小値検出回路
２Ｒ、２Ｇ、２Ｒ  減算処理回路
３    分解画像輝度算出部
４    表示順序決定部
５    光源強度算出部
６    第４成分位置判別部
７    表示順序出力部
１０  パネル駆動部
１１  液晶パネル
１２  光源駆動部
１３  光源ユニット
【図１】
2008165048.tif 000004
【図２】
2008165048.tif 000005
【図３】
2008165048.tif 000006
【図４】
2008165048.tif 000007
【図５】
2008165048.tif 000008
【図６】
2008165048.tif 000009
【図７】
2008165048.tif 000010
【図８】
2008165048.tif 000011
【図９】
2008165048.tif 000012
【図１０】
2008165048.tif 000013
【図１１】
2008165048.tif 000014
【図１２】
2008165048.tif 000015
【図１３】
2008165048.tif 000016
【図１４】
2008165048.tif 000017